(57)【要約】【課題】ディスク作成をディスクパブリッシャに実行させる場合の利便性を向上させる。【解決手段】ディスクにデータを書き込むためのドライブと、ブランクディスクを蓄積するためのブランクディスクスタッカと、データの書き込みが終了した作成済みディスクを蓄積するための作成済みディスクスタッカと、配布用に排出したディスクを蓄積するためのディスク排出スタッカと、前記ドライブと各スタッカとの間でディスクを搬送する搬送機構と、ディスク盤面に印刷処理を行うプリンタとを備えたディスクパブリッシャの制御方法であって、書き込み作業終了を検知し、予め指定した宛先に電子メールを送信するステップ（Ｓ１０５）と、電子メール送信終了を検知して、ディスクパブリッシャの本体電源を遮断するステップ（Ｓ１０６）とを有する。【選択図】図２
2008065906.tif 000002
【特許請求の範囲】
【請求項１】
ディスクにデータを書き込むためのドライブと、ディスク盤面に印刷処理を行うプリンタとを備えたディスクパブリッシャであって、
書き込み作業終了を検知し、予め指定した宛先に電子メールを送信するメール送信手段と、電子メール送信終了を検知して、ディスクパブリッシャの本体電源を遮断する電源遮断手段と、を有するディスクパブリッシャ。
【請求項２】
請求項１において、前記電子メールには、少なくとも書き込み完了枚数に関する情報を記述するディスクパブリッシャ。
【請求項３】
請求項１において、更に、ブランクディスクを蓄積するためのブランクディスクスタッカと、データの書き込みが終了した作成済みディスクを蓄積するための作成済みディスクスタッカと、配布用のディスクを蓄積するためのディスク排出スタッカと、前記ドライブと各スタッカとの間でディスクを搬送する搬送機構と、を有するディスクパブリッシャ。
【請求項４】
ディスクにデータを書き込むためのドライブと、ディスク盤面に印刷処理を行うプリンタとを備えたディスクパブリッシャの制御方法であって、
書き込み作業終了を検知し、予め指定した宛先に電子メールを送信するステップと、電子メール送信終了を検知して、ディスクパブリッシャの本体電源を遮断するステップと、を含む制御方法。
【請求項５】
請求項４において、前記電子メールには、少なくとも書き込み完了枚数に関する情報を記述するステップ、を含む制御方法。
【発明の詳細な説明】
【技術分野】
【０００１】
本発明は、ＣＤ、ＤＶＤ等のディスクにデータを書き込むディスクパブリッシャ及びその制御方法に関する。
【背景技術】
【０００２】
ＣＤ、ＤＶＤ等のディスクにデータを書き込む装置において、複数のディスクに対して連続的に書き込みを実行することで、大量のディスクを作成することが行われている。そのような装置の一例として、ディスクパブリッシャがある。ディスクパブリッシャは、ユーザーが指定したデータをＣＤやＤＶＤなどのディスクに書き込むもので、データ配布用のディスクの作成、配布と廃棄を把握することによりデータの管理を行うものである。データの書き込みが行われたディスクは、ディスクパブリッシャ内のスタッカに格納され、適切な時期に装置外に排出される。
【発明の開示】
【発明が解決しようとする課題】
【０００３】
従来のディスクパブリッシャでは、書き込み終了後に自動的に電源を遮断する機能がないため、ディスク作成を実行させたまま帰宅するような場合、電力の無駄遣いがある。また、仮に自動的に電源を遮断する機能を備えても、本当に電源が遮断されたかが不明である。
【０００４】
本発明は、ディスク作成をディスクパブリッシャに実行させる場合の利便性を向上させることを目的とする。
【課題を解決するための手段】
【０００５】
本発明は、ディスクにデータを書き込むためのドライブと、ディスク盤面に印刷処理を行うプリンタとを備えたディスクパブリッシャであって、書き込み作業終了を検知し、予め指定した宛先に電子メールを送信するメール送信手段と、電子メール送信終了を検知して、ディスクパブリッシャの本体電源を遮断する電源遮断手段とを有する。また、ディスクにデータを書き込むためのドライブと、ディスク盤面に印刷処理を行うプリンタとを備えたディスクパブリッシャの制御方法であって、書き込み作業終了を検知し、予め指定した宛先に電子メールを送信するステップと、電子メール送信終了を検知して、ディスクパブリッシャの本体電源を遮断するステップとを含む。
【０００６】
上記構成によれば、書き込み終了後に自動的に電源が遮断されるため、無駄な電力が消費されることがない。また、電源遮断をメール通知後に行うことで、ユーザーが電源が遮断されたことを把握することができる。
【０００７】
なお、前記電子メールは、少なくともディスクの書き込み完了枚数に関する情報を含むことが好ましい。この構成によれば、正常に書き込み作業が終了したのか、または装置の故障やディスクの不足などで作業途中で終了したのか（作業失敗）を判断できる。
【発明を実施するための最良の形態】
【０００８】
図１は本発明の実施の形態におけるディスクパブリッシャを示す概略構成図である。ディスクパブリッシャ１００は、主に、ドライブ１０、プリンタトレイ２０、搬送機構３０、内部制御装置４０、ブランクディスクスタッカ５０、作成済みディスクスタッカ６０、ディスク排出スタッカ７０、などで構成される。また、ディスクパブリッシャ１００は、ネットワーク２００を介して、運用者用パーソナルコンピュータ（ＰＣ）３００や作成者用パーソナルコンピュータ（ＰＣ）３１０などに接続する。
【０００９】
ドライブ１０は、データの書き込み動作またはデータの上書きによる消去動作を行う。プリンタトレイ２０は、ディスクの盤面に印刷処理を行うプリンタ（図示省略）にディスクを供給するためのトレイであり、データの書き込みが終了したディスクは、搬送機構３０によりこのプリンタトレイ２０に搬送される。印刷処理が終了したディスクは、搬送機構３０により後述する各種スタッカへ搬送される。搬送機構３０は、ディスクパブリッシャ１００内の各部にディスクを搬送するための搬送装置であり、上下動や回転の各動作によりディスクの取得、搬送、載置を行う。
【００１０】
内部制御装置４０は、ディスクパブリッシャ１００の動作全般を統括制御する制御部であり、ディスクパブリッシャ１００内に予め設定された制御プログラムや外部の運用者ＰＣからの指示などに基づいて、ディスクの作成、配布動作などを実行する。内部制御装置４０には、ディスク作成終了を検知して、所定の書式の電子メールを自動作成して送信する電子メール送信部４１と、ディスクパブリッシャ１００本体の電源を自動的に遮断する電源遮断部４２と、を含む。電子メール送信部４１で作成された電子メールは、予め設定された宛先に送信される。電源遮断部４２は、電子メール送信部４１から電子メールが送信されたことを検知して、ディスクパブリッシャ１００本体の電源を遮断する。
【００１１】
ブランクディスクスタッカ５０は、データの書き込みを行うためのブランクディスクを供給、蓄積するスタッカで、ブランクディスク５１は搬送機構３０によってドライブ１０へ搬送される。作成済みディスクスタッカ６０は、ドライブ１０でデータの書き込みが行われたディスクを一時的に蓄積するためのスタッカで、作成済みのディスク６１はこのスタッカで所定時間格納され、その後、後述するディスク排出スタッカ７０へ排出される。ディスク排出スタッカ７０は、作成済みディスクまたは上書き消去処理済みディスク７１をユーザーに配布するためのスタッカである。ディスク排出スタッカ７０には、ドライブ１０から作成済みまたは消去済みのディスクが直接搬送されたり、前述の作成済みディスクスタッカ６０で一時蓄積された作成済みのディスクが搬送されたりする。
【００１２】
運用者用ＰＣ３００は、ディスクパブリッシャ１００への各種設定などを遠隔から行うための端末である。尚、各種設定は、設定の重要度に応じて、権限を有する運用者のみが行えるような構成とすることが好ましい。一方、作成者用ＰＣ３１０は、配布するディスクの作成指示を行う端末である。ディスクの作成者に対しても所定の認証等を行ってデータの外部出力が厳重に管理されることが好ましい。ディスクの作成終了を報知する電子メールの送信先を作成者用ＰＣ３１０に設定しておけば、ディスクの書き込み作業指示を行った作成者は作業終了の報知メールを受信することができる。
【００１３】
図２は本発明の実施の形態におけるディスクパブリッシャの制御動作手順を示すフローチャートである。はじめに、作成者用ＰＣ３１０などを介して、外部からディスクの書き込み作業の命令が行われると（ステップＳ１０１）、内部制御装置４０の制御によりディスクの書き込み作業が実行される（ステップＳ１０２）。尚、ドライブ１０へのブランクディスクの供給や、ドライブ１０におけるデータ書き込み処理、処理済みディスクの作成済みディスクスタッカ６０への搬送、などの各動作手順は公知であり、従って詳細な説明を省略する。
【００１４】
書き込み作業中、内部制御装置４０の電子メール送信部４１は、書き込み作業の完了を検知し（ステップＳ１０３）、書き込み作業が完了した場合（ステップＳ１０３のＹｅｓ）、所定の書式の報知用電子メールを自動作成する（ステップＳ１０４）。図３は、電子メール送信部４１で自動作成される報知用電子メールの書式例を示す図である。図の例では、書き込み作業の作業開始時刻Ｔ１、作業終了時刻Ｔ２、書き込み予定枚数ａ、書き込み完了枚数ｂ、の各情報が電子メールに記述される。上記の各パラメータ値（Ｔ１、Ｔ２、ａ、ｂ）は、内部制御装置４０で管理されており、内部制御装置４０から取得する。
【００１５】
上記の記述例のように、電子メールには、少なくとも書き込み完了枚数に関する情報を記述することが好ましい。書き込み完了枚数に関する情報を提供することができれば、ディスクの書き込みを指示した作成者は、正常に作業が終了したのか、または装置の故障やディスクの不足などで作業途中で終了したのか（作業失敗）を判断できるからである。尚、作成完了枚数に関する情報は、例えば、作成済みディスクスタッカ６０に蓄積されたディスクの高さを検知することなどにより取得することができる。
【００１６】
一方、電子メールに作業完了枚数に関する情報を記述できない場合でも、作業終了時刻に関する情報が提供できれば電子メールを受信した作成者は正常終了か作業失敗かを判定することができる。作成者は、書き込み予定（指示）枚数と１枚の作成にかかる時間とに基づいて書き込み作業終了時刻を推定できるので、それよりも早く電子メールを受信した場合には作業失敗と判断できるからである。
【００１７】
次に、電源遮断部４２は、電子メール送信部４１が、作成した電子メールを予め設定した所定の宛先に送信したか否かを判断し（ステップＳ１０５）、送信が確認された場合（ステップＳ１０５のＹｅｓ）、ディスクパブリッシャ１００本体の電源を遮断する（ステップＳ１０６)。作業終了後に速やかに電源を遮断するので、電力消費を抑制することができる。
【００１８】
以上の制御動作手順により、ディスクの書き込み作業終了を電子メールで報知してから本体の電源を遮断することで、書き込み作業の帰趨を知らせることが可能となる。
【図面の簡単な説明】
【００１９】
【図１】本発明の実施の形態におけるディスクパブリッシャを示す概略構成図である。
【図２】本発明の実施の形態におけるディスクパブリッシャの制御動作手順を示すフローチャートである。
【図３】電子メール送信部で自動作成される電子メールの書式例を示す図である。
【符号の説明】
【００２０】
１０：ドライブ、２０：プリンタトレイ、３０：搬送機構、４０：内部制御装置、４１：電子メール送信部、４２：電源遮断部、５０：ブランクディスクスタッカ、６０：作成済みディスクスタッカ、７０：ディスク排出スタッカ、１００：ディスクパブリッシャ、２００：ネットワーク、３００：運用者用ＰＣ、３１０：作成者用ＰＣ
【図１】
2008065906.tif 000003
【図２】
2008065906.tif 000004
【図３】
2008065906.tif 000005